(57)【要約】【課題】少なくとも一部に可撓性を有する液体収容体と液体消費装置との間における液体供給のための接続操作の簡略化を図る。【解決手段】プリンター１０は、右側壁１０６に液体供給装置２０を備える。液体供給装置２０は、プリンター１０を鉛直上方から見たとき、着脱ユニット３０を、その液体導入部３６２が液体導入のために伸びるＫ１軸方向が右側壁１０６に対して時計回り方向に０度より大きく９０度より小さい角度ａ１となるように、傾斜して備える。液体収容体５０は、可撓性を有する液体収容部５２の上端側に操作部材５３を備え、この操作部材５３に、着脱ユニット３０の液体導入部３６２にＫ１軸方向に沿って接続可能な液体供給部５７が接続される。【選択図】図２２
2016055446.tif 000002
【特許請求の範囲】
【請求項１】
液体導入部を有する液体消費装置に接続される液体収容体であって、
前記液体消費装置は、装置の正面に対して第１側面を構成する右側壁と、前記正面に対して第２側面を構成する左側壁とを備え、前記右側壁に前記液体導入部を備える場合には、前記液体消費装置を鉛直上方から見た平面視において、前記液体導入部が液体導入のために伸びる方向である導入部伸び方向が前記右側壁に対して時計回り方向に成す角度ａ１が０度より大きく９０度より小さくされ、前記左側壁に前記液体導入部を備える場合には、前記平面視において、前記導入部伸び方向が前記左側壁に対して反時計回り方向に成す角度ａ２が０度より大きく９０度より小さい角度とされ、
前記液体収容体は、
少なくとも一部に可撓性を有する液体収容部と、
前記液体収容体が前記液体消費装置に接続されるときに前記液体収容体の上部に位置して、把持可能な操作部と、
前記操作部に接続され、前記液体導入部に前記導入部伸び方向に沿って接続可能であり、接続された前記液体導入部に、前記液体収容部に収容済みの前記液体を前記液体収容部から導く液体供給部とを備える、液体収容体。
【請求項２】
請求項１に記載の液体収容体であって、
前記液体消費装置は、前記液体導入部を前記導入部伸び方向から見た正面視において、前記液体導入部と水平方向に並んで電気接続部を備え、
前記液体収容体は、
前記電気接続部に接触可能な接触部を、前記液体導入部と前記電気接続部との並びに対応して、前記操作部に前記液体供給部と並べて備える、液体収容体。
【請求項３】
液体消費装置の電気接続部に接触可能な接触部を有する電気接続体であって、
前記液体消費装置の前記電気接続部は、前記電気接続体の前記接触部と接触可能な複数の装置側端子が水平方向に並んで配置され、
前記液体消費装置は、装置の正面に対して第１側面を構成する右側壁と、前記正面に対して第２側面を構成する左側壁とを備え、前記右側壁に前記電気接続部を備える場合には、前記液体消費装置を鉛直上方から見た平面視において、前記装置側端子の水平方向の並び方向に直交する方向が前記右側壁に対して時計回り方向に成す角度ａ１が０度より大きく９０度より小さくされ、前記左側壁に前記電気接続部を備える場合には、前記平面視において、前記装置側端子の水平方向の並び方向に直交する方向が前記左側壁に対して反時計回り方向に成す角度ａ２が０度より大きく９０度より小さい角度とされ、
前記電気接続体は、
前記電気接続体が前記液体消費装置に接続されるときに把持可能な操作部と、
前記操作部に配設されて前記電気接続部の前記装置側端子に接触可能な複数の前記接触部とを備える、電気接続体。
【請求項４】
液体を収容した液体収容体が接続される液体消費装置であって、
装置の正面に対して第１側面を構成する右側壁と、前記正面に対して第２側面を構成する左側壁とを備え、前記右側壁に前記液体収容体が接続される液体導入部を備える場合には、前記液体消費装置を鉛直上方から見た平面視において、前記液体導入部が液体導入のために伸びる方向である導入部伸び方向が前記右側壁に対して時計回り方向に成す角度ａ１が０度より大きく９０度より小さくされ、前記左側壁に前記液体導入部を備える場合には、前記平面視において、前記導入部伸び方向が前記左側壁に対して反時計回り方向に成す角度ａ２が０度より大きく９０度より小さい角度とされ、
前記液体収容体は、
少なくとも一部に可撓性を有する液体収容部と、
前記液体収容体が前記液体消費装置に接続されるときに前記液体収容体の上部に位置して、把持可能な操作部と、
前記操作部に接続され、前記液体導入部に前記導入部伸び方向に沿って接続可能であり、接続された前記液体導入部に、前記液体収容部に収容済みの前記液体を前記液体収容部から導く液体供給部とを備える、液体消費装置。
【請求項５】
請求項４に記載の液体消費装置であって、
前記液体導入部を前記導入部伸び方向から見た正面視において、前記液体導入部と水平方向に並んで電気接続部を備え、
前記液体収容体は、
前記電気接続部に接触可能な接触部を、前記液体導入部と前記電気接続部との並びに対応して、前記操作部に前記液体供給部と並べて備える、液体消費装置。
【発明の詳細な説明】
【技術分野】
【０００１】
本発明は、液体収容体と電気接続体および液体消費装置に関する。
【背景技術】
【０００２】
液体を液体消費装置に供給可能な液体収容体としては、従来から、液体消費装置の一例であるプリンターにインクを供給する形態が知られている。こうした形態の一つとして、インクを可撓性を有する収容袋に収容し、当該収容袋をプリンター側面のケースに収容してチューブを介してキャリッジ上のヘッド付きカートリッジにインクを供給することが提案されている（例えば、特許文献１）。
【先行技術文献】
【特許文献】
【０００３】
【特許文献１】国際公開番号ＷＯ９７／４２０３５号公報
【発明の概要】
【発明が解決しようとする課題】
【０００４】
特許文献１で提案された供給手法では、インク消費が進んでインク交換が必要となると、収容袋を交換し、その交換済み収容袋の供給口にチューブを接続する必要がある。チューブはその接続端が自由端であり、収容袋は可撓性を有することから、収容袋へのチューブ接続がし難いことが指摘されるに到った。また、近年では、大容量のインク収容が求められていることから、インクの収容袋も大容積化している。よって、インク自重による収容袋の変形も起き易く、収容袋の側でのチューブ接続操作に支障を来しがちであった。電気的な接続についても同様である。そこで、本発明は上記課題の少なくとも一部を扱うものであり、その目的は、少なくとも一部に可撓性を有する液体収容体と液体消費装置との間における液体供給のための接続操作の簡略化を図ることにある。
【課題を解決するための手段】
【０００５】
本発明は、上述の課題の少なくとも一部を解決するためになされたものであり、以下の形態として実現することが可能である。
【０００６】
（１）本発明の一形態によれば、液体収容体が提供される。この液体収容体は、液体導入部を有する液体消費装置に接続される液体収容体であって、前記液体消費装置は、装置の正面に対して第１側面を構成する右側壁と、前記正面に対して第２側面を構成する左側壁とを備え、前記右側壁に前記液体導入部を備える場合には、前記液体消費装置を鉛直上方から見た平面視において、前記液体導入部が液体導入のために伸びる方向である導入部伸び方向が前記右側壁に対して時計回り方向に成す角度ａ１が０度より大きく９０度より小さくされ、前記左側壁に前記液体導入部を備える場合には、前記平面視において、前記導入部伸び方向が前記左側壁に対して反時計回り方向に成す角度ａ２が０度より大きく９０度より小さい角度とされ、前記液体収容体は、少なくとも一部に可撓性を有する液体収容部と、前記液体収容体が前記液体消費装置に接続されるときに前記液体収容体の上部に位置して、把持可能な操作部と、前記操作部に接続され、前記液体導入部に前記導入部伸び方向に沿って接続可能であり、接続された前記液体導入部に、前記液体収容部に収容済みの前記液体を前記液体収容部から導く液体供給部とを備える。
【０００７】
この形態の液体収容体は、液体収容部の上部に位置する操作部が把持され、この状態で液体消費装置の液体導入部に接続されるまでに、液体消費装置の正面側から操作部を液体導入部に対面するまでほぼ直線軌跡で近づける第１の操作と、液体供給部が液体導入部に導入部伸び方向に沿って接続されるように操作部をほぼ直線軌跡で液体導入部に近づける第２の操作とを必要とする。液体導入部の導入部伸び方向は、右側壁に液体導入部を備える液体消費装置であれば、液体消費装置を鉛直上方から見た平面視において、右側壁に対して時計回り方向に０度より大きく９０度より小さい角度ａ１の方向であるので、上記の第１の操作をなしている際の操作部の把持姿勢のまま、第１の操作後に第２の操作に沿った直線軌跡の操作を行えばよい。よって、第１の操作と第２の操作とを、操作部を把持した把持姿勢を変えることなく一連の操作として実行できるので、液体収容体の装着操作が容易となる。左側壁に液体導入部を備える液体消費装置であれば、液体導入部の導入部伸び方向は、平面視において、左側壁に対して反時計回り方向に０度より大きく９０度より小さい角度ａ２の方向であるので、上記と同様、第１の操作と第２の操作とを、操作部を把持した把持姿勢を変えることなく一連の操作として実行できるので、液体収容体の装着操作が容易となる。
【０００８】
特に、右側壁或いは左側壁に液体導入部を装置正面側から装置奥側に複数並べて備える液体消費装置であれば、次の利点がある。装置奥側の液体導入部に液体収容体の液体供給部を接続する際、この装置測側の液体導入部よりも装置正面側には、他の液体導入部やこの液体導入部に接続済みの液体収容体が存在する。しかしながら、装置奥側の液体導入部に液体収容体の液体供給部を接続する際の上記の一連の操作は、装置正面側の他の液体導入部やこれに接続済みの液体収容体と干渉しない装置正面側から開始可能となるので、不用意に液体収容体を大回りの軌跡で迂回して移動させる必要がなく、簡便となる。また、液体収容体の接続操作のためのスペースについても、削減できる。なお、上記した液体導入部の導入部伸び方向が成す角度ａ１，ａ２は、４５〜７０度の範囲であることが望ましい。
【０００９】
（２）上記形態の液体収容体において、前記液体消費装置は、前記液体導入部を前記導入部伸び方向から見た正面視において、前記液体導入部と水平方向に並んで電気接続部を備え、前記液体収容体は、前記電気接続部に接触可能な接触部を、前記液体導入部と前記電気接続部との並びに対応して、前記操作部に前記液体供給部と並べて備えるようにしてもよい。これによれば、液体収容部の上部に位置する操作部が把持された状態で液体消費装置の液体導入部に液体収容体が接続されるまでの上記した一連の操作により、操作部の接触部についても、これを液体消費装置の電気接続部に接続できる。
【００１０】
（３）本発明の他の形態によれば、電気接続体が提供される。この電気接続体は、液体消費装置の電気接続部に接触可能な接触部を有する電気接続体であって、前記液体消費装置の前記電気接続部は、前記電気接続体の前記接触部と接触可能な複数の装置側端子が水平方向に並んで配置され、前記液体消費装置は、装置の正面に対して第１側面を構成する右側壁と、前記正面に対して第２側面を構成する左側壁とを備え、前記右側壁に前記電気接続部を備える場合には、前記液体消費装置を鉛直上方から見た平面視において、前記装置側端子の水平方向の並び方向に直交する方向が前記右側壁に対して時計回り方向に成す角度ａ１が０度より大きく９０度より小さくされ、前記左側壁に前記電気接続部を備える場合には、前記平面視において、前記装置側端子の水平方向の並び方向に直交する方向が前記左側壁に対して反時計回り方向に成す角度ａ２が０度より大きく９０度より小さい角度とされ、前記電気接続体は、前記電気接続体が前記液体消費装置に接続されるときに把持可能な操作部と、前記操作部に配設されて前記電気接続部の前記装置側端子に接触可能な複数の前記接触部とを備える。この形態の電気接続体によれば、先の液体収容体と同様、液体消費装置の正面側から操作部を電気接続部に対面するまでほぼ直線軌跡で近づける第１の操作と、接触部が電気接続部に接続されるように操作部をほぼ直線軌跡で液体導入部に近づける第２の操作とを、操作部を把持した把持姿勢を変えることなく一連の操作として実行できるので、電気接続体の装着操作が容易となる。右側壁或いは左側壁に電気接続部を装置正面側から装置奥側に複数並べて備える場合についても、同様の効果を奏することができる。
【００１１】
（４）本発明のまた別の形態によれば、液体消費装置が提供される。この液体消費装置は、液体を収容した液体収容体が接続される液体消費装置であって、装置の正面に対して第１側面を構成する右側壁と、前記正面に対して第２側面を構成する左側壁とを備え、前記右側壁に前記液体収容体が接続される液体導入部を備える場合には、前記液体消費装置を鉛直上方から見た平面視において、前記液体導入部が液体導入のために伸びる方向である導入部伸び方向が前記右側壁に対して時計回り方向に成す角度ａ１が０度より大きく９０度より小さくされ、前記左側壁に前記液体導入部を備える場合には、前記平面視において、前記導入部伸び方向が前記左側壁に対して反時計回り方向に成す角度ａ２が０度より大きく９０度より小さい角度とされ、前記液体収容体は、少なくとも一部に可撓性を有する液体収容部と、前記液体収容体が前記液体消費装置に接続されるときに前記液体収容体の上部に位置して、把持可能な操作部と、前記操作部に接続され、前記液体導入部に前記導入部伸び方向に沿って接続可能であり、接続された前記液体導入部に、前記液体収容部に収容済みの前記液体を前記液体収容部から導く液体供給部とを備える。この形態の液体消費装置によれば、液体収容体が接続される先の形態の液体消費装置と同様、液体消費装置の正面側から操作部を液体導入部に対面するまでほぼ直線軌跡で近づける第１の操作と、液体供給部が液体導入部に導入部伸び方向に沿って接続されるように操作部をほぼ直線軌跡で液体導入部に近づける第２の操作とを、操作部を把持した把持姿勢を変えることなく一連の操作として実行できるので、液体収容体の装着操作が容易となる。右側壁或いは左側壁に電気接続部を装置正面側から装置奥側に複数並べて備える場合についても、同様の効果を奏することができる。
【００１２】
（５）上記形態の液体消費装置において、前記液体導入部を前記導入部伸び方向から見た正面視において、前記液体導入部と水平方向に並んで電気接続部を備え、前記液体収容体は、前記電気接続部に接触可能な接触部を、前記液体導入部と前記電気接続部との並びに対応して、前記操作部に前記液体供給部と並べて備えるようにしてもよい。これによれば、液体収容部の上部に位置する操作部が把持された状態で液体消費装置の液体導入部に液体収容体が接続されるまでの上記した一連の操作により、操作部の接触部についても、これを液体消費装置の電気接続部に接続できる。
【００１３】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１４】
また、本発明は、種々の態様で実現することが可能であり、例えば、液体収容体から液体消費装置に液体を供給する液体供給システムの他、液体収容体と液体消費装置とを備えたシステム等の形態で実現することができる。
【図面の簡単な説明】
【００１５】
【図１】第１実施形態の液体消費システム１０００の概略構成を示す第１の斜視図である。
【図２】液体消費システム１０００の概略構成を示す第２の斜視図である。
【図３】液体供給装置２０を説明するための第１の図である。
【図４】液体供給装置２０を説明するための第２の図である。
【図５】着脱ユニット３０を説明するための第１の斜視図である。
【図６】着脱ユニット３０を説明するための第２の斜視図である。
【図７】液体収容体５０の第１の斜視図である。
【図８】液体収容体５０の第２の斜視図である。
【図９】液体収容体５０の一部分を示す第１の斜視図である。
【図１０】液体収容体５０の一部分を示す第２の斜視図である。
【図１１】液体収容体５０の一部分を示す第３の斜視図である。
【図１２】液体収容体５０の一部分を示す第４の斜視図である。
【図１３】液体収容体５０の一部分の正面図である。
【図１４】液体収容体５０の一部分の背面図である。
【図１５】液体収容体５０の一部分の上面図である。
【図１６】液体収容体５０の一部分の右側面図である。
【図１７Ａ】図１３のＦ１３−Ｆ１３線断面図である。
【図１７Ｂ】回路基板５８２の正面図である。
【図１７Ｃ】図１７Ｂの矢視Ｆ１７Ｂである。
【図１８】液体収容体５０が着脱ユニット３０にセットされた時の図である。
【図１９】図１８のＦ１８−Ｆ１８部分断面図である。
【図２０】液体収容体５０が着脱ユニット３０に装着された時の図である。
【図２１】図２０のＦ２０−Ｆ２０部分断面図である。
【図２２】液体収容体５０の装着動作の初期の様子をプリンター１０における鉛直上方から見て示す第１の説明図である。
【図２３】液体収容体５０の装着動作の後半の様子をプリンター１０における鉛直上方から見て示す第２の説明図である。
【図２４】液体収容体５０の装着動作の初期の様子を−Ｋ１軸方向から見て示す第３の説明図である。
【図２５】液体収容体５０の装着動作における図１９のセット方向の動作の様子を−Ｋ１軸方向から見て示す第４の説明図である。
【図２６】液体収容体５０の装着動作における図１９のセット方向の動作の完了状態を−Ｋ１軸方向から見て示す第５の説明図である。
【図２７】第２実施形態の液体供給装置２０Ｓ１をプリンター１０における鉛直上方から見て示す説明図である。
【図２８】電気接続体５０ａを説明するための図である。
【発明を実施するための形態】
【００１６】
次に、本発明の実施の形態を以下の順序で説明する。
Ａ〜Ｂ．第１〜第２実施形態：
Ｃ．各種変形例：
【００１７】
Ａ．第１実施形態：
Ａ−１．液体消費システムの構成：
図１は第１実施形態の液体消費システム１０００の概略構成を示す第１の斜視図である。図２は液体消費システム１０００の概略構成を示す第２の斜視図である。図３は液体供給装置２０を説明するための第１の図である。図４は液体供給装置２０を説明するための第２の図である。なお、図３および図４では、後述する液体収容体が取り外された状態を示している。図１〜図４には、互いに直交するＸＹＺ軸が描かれている。
【００１８】
図１に示すように、液体消費システム１０００は、液体消費装置としてのプリンター１０と、２つの液体供給装置２０とを備える。液体消費システム１０００の使用状態では、プリンター１０はＸ軸方向とＹ軸方向によって規定される水平な面に設置される。すなわち、Ｚ軸方向が鉛直方向（上下方向）となる。また、−Ｚ軸方向が鉛直下方向となり、＋Ｚ軸方向が鉛直上方向となる。液体供給装置２０は、プリンター１０に液体としてのインクを供給する液体供給システムを構築する。液体供給装置２０が備える液体収容体５０は、プリンター１０に対して着脱可能に接続（装着）できる。
【００１９】
プリンター１０は、インクジェットプリンターである。プリンター１０は、記録機構１１と、給紙トレイ１６と、排出トレイ１７とを備える。給紙トレイ１６は、鉛直方向の異なる高さ位置に複数設けられている。給紙トレイ１６は、プリンター１０の装置第１面（装置正面）１０２に設けられている。給紙トレイ１６には、プリンター１０によって文字等の画像が印刷（記録）される記録媒体（例えば、用紙）が収容される。
【００２０】
記録機構１１は、インクを吐出する記録ヘッド（図示せず）を備える。記録ヘッドは、チューブ等の流通管を介して液体供給装置２０と連通している。記録ヘッドは、液体供給装置２０から供給されたインクを用いて記録媒体上にインクを吐出することで記録（印刷）を行う。記録された記録媒体は排出トレイ１７に排出される。
【００２１】
２つの液体供給装置２０は、プリンター１０の装置第１面（装置正面又は装置前壁とも呼ぶ）１０２と交差する装置第２面（装置第２側面、装置第２側壁または左側壁とも呼ぶ）１０４および装置第３面（装置第１側面、装置第１側壁または右側壁とも呼ぶ）１０６に設けられている。装置第１面１０２〜装置第３面１０６はそれぞれ、プリンター１０の使用状態において設置面に対して略垂直な面である。装置第２面１０４と装置第３面１０６とは対向する。ここで、装置第２面１０４に設けられた液体供給装置２０を第１の液体供給装置２０Ａとも呼び、装置第３面１０６に設けられた液体供給装置２０を第２の液体供給装置２０Ｂとも呼ぶ。なお、第１と第２の液体供給装置２０Ａ，２０Ｂを区別することなく用いる場合は、単に液体供給装置２０と呼ぶ。
【００２２】
図１に示すように、第１の液体供給装置２０Ａは、１つのカバー部材２２と１つの液体収容体５０と、１つの着脱ユニット３０（図３）とを備える。図２に示すように、第２の液体供給装置２０Ｂは、１つのカバー部材２２と３つの液体収容体５０と、各液体収容体５０に対応した３つの着脱ユニット３０（図４）とを備える。ここで、２つのカバー部材２２を区別して用いる場合は、符号「２２Ａ」，「２２Ｂ」を用いる。また、４つの液体収容体５０を区別して用いる場合は、符号「５０Ｋ」，「５０Ｃ」，「５０Ｍ」，「５０Ｙ」を用いる。また、４つの着脱ユニット３０を区別して用いる場合は符号「３０Ｋ」，「３０Ｃ」，「３０Ｍ」，「３０Ｙ」を用いる。なお、カバー部材２２、液体収容体５０、着脱ユニット３０の個数は上記に限定されるものではない。例えば、液体収容体５０は３つ以下であっても良いし、５つ以上であってもよい。また、着脱ユニット３０は、液体収容体５０の個数に対応して設けられてもよい。また、カバー部材２２は、１つであっても良いし、３つ以上であってもよい。
【００２３】
４つの液体収容体５０には、相互に異なる種類のインクが収容（充填）されている。本実施形態では、イエロー（Ｙ）、マゼンタ（Ｍ）、シアン（Ｃ）およびブラック（Ｋ）のインクが、それぞれ異なる液体収容体５０に収容されている。液体収容体５０Ｋはブラックのインクを収容した液体収容部を有し、液体収容体５０Ｃはシアンのインクを収容した液体収容部を有し、液体収容体５０Ｍはマゼンタのインクを収容した液体収容部を有し、液体収容体５０Ｙはイエローのインクを収容した液体収容部を有する。図３および図４に示すように、液体収容体５０は、カバー部材２２で区画される収容空間部２６に収容される。具体的には、液体収容体５０Ｋは、左側壁１０４の側の収容空間部２６Ａ（図３）において後述の着脱ユニット３０Ｋに装着されて収容され、液体収容体５０Ｃ，５０Ｍ，５０Ｙは、右側壁１０６の側の収容空間部２６Ｂ（図４）において、後述の着脱ユニット３０Ｃ，３０Ｍ，３０Ｙに装着されて収容される。
【００２４】
図３および図４に示す着脱ユニット３０は、液体収容体５０を着脱自在に装着する。着脱ユニット３０Ｋはカバー部材２２Ａの内側に配置され、着脱ユニット３０Ｃ，３０Ｍ，３０Ｙはカバー部材２２Ｂの内側に配置されている。図３に示すように、着脱ユニット３０Ｋは、プリンター１０の装置第２面１０４に設けられている。図４に示すように、着脱ユニット３０Ｃ，３０Ｍ，３０Ｙは、プリンター１０の装置第３面１０６に設けられている。着脱ユニット３０に液体収容体５０が装着された場合、プリンター１０が備えるポンプ機能を有する供給機構（図示せず）によって液体収容体５０に収容されたインクがプリンター１０の記録ヘッドに供給される。
【００２５】
図３および図４に示すように、カバー部材２２は、鉛直下方向側の一端部２３を支点として鉛直上方向側の他端部２４を回転させることで開閉自在に構成されている。液体収容体５０が収容するインクが消費された後は、利用者は、カバー部材２２を開いて消費された液体収容体５０を着脱ユニット３０から取り外す。そして、利用者は、新たな液体収容体５０を着脱ユニット３０に装着した後にカバー部材２２を閉じる。
【００２６】
Ａ−２．着脱ユニット３０の構成：
図５は着脱ユニット３０を説明するための第１の斜視図である。図６は着脱ユニット３０を説明するための第２の斜視図である。図５は、可動部材４０が固定部材３５に対し外方に突出した第１の状態（セット時状態）を示している。図６は、可動部材４０が固定部材３５に収容された第２の状態（装着時状態）を示している。図５および図６では、着脱ユニット３０Ｃを例に構成についての説明を行うが、他の着脱ユニット３０Ｋ，３０Ｍ，３０Ｙについても着脱ユニット３０Ｃと同様の構成を有する。図５に示すように、着脱ユニット３０は、固定部材３５と、可動部材４０とを備える。
【００２７】
液体収容体５０は、以下の２つの操作を実行することで着脱ユニット３０に着脱可能に装着される。液体収容体５０が着脱ユニット３０に装着された状態を「装着状態（接続状態）」とも呼ぶ。装着状態（接続状態）とは、後述する液体収容体５０の液体供給部５７が着脱ユニット３０の液体導入部（液体導入針）３６２に接続され、かつ、液体収容体５０の回路基板５８２が着脱ユニット３０の電気接続部（装置側電気接続部）３８２と電気的に接続された状態である。装着状態では、液体収容体５０に収容されているインクがプリンター１０側に流通可能な状態となる。
・第１の操作：
利用者は、着脱ユニット３０を第１の状態（図５参照）にした後に、液体収容体５０を可動部材４０にセットする。
・第２の操作：
第１の操作後に、利用者は液体収容体５０を介して可動部材４０を固定部材３５側に押し進めることで着脱ユニット３０を第２の状態（図６参照）にする。
【００２８】
着脱ユニット３０の第２の状態では、可動部材４０はロック機構によって固定部材３５に対する＋Ｋ１軸方向側への移動が規制されている。なお、第２の状態において、可動部材４０を固定部材３５に対して内側方向（−Ｋ１軸方向）に押し付けることでロック機構によるロックが解除される。これにより、可動部材４０を固定部材３５に対して＋Ｚ軸方向に突出するように移動させて、着脱ユニット３０の状態を第１の状態から第２の状態に切り替えることができる。
【００２９】
固定部材３５は、固定部である複数のネジ３０２によってプリンター１０の装置第２面１０４，装置第３面１０６（図３および図４）に固定されている。詳細には、着脱ユニット３０Ｋ（図３）は、複数のネジ３０２によって第２面１０４のバックボード（図視略）に固定され、着脱ユニット３０Ｃ，３０Ｍ、３０Ｙ（図４）は、複数のネジ３０２によって装置第３面１０６のバックボード２６ＢＶに固定されている。これらバックボードは、第２面である左側壁１０４や右側壁１０６に沿うよう、収容空間部２６Ａ或いは収容空間部２６Ｂに設けられている。
【００３０】
固定部材３５は、液体導入機構３６と、接点機構３８とを備える。液体導入機構３６は、液体導入部３６２を有する。液体導入部３６２には、液体収容体５０が備える後述する液体供給部（詳しくは、後述の液体供給ユニット５５）が接続されることで、液体収容体５０に収容されたインクが後述の液体供給部５７から導かれ流通する。液体導入部３６２は、プリンター１０の記録ヘッドと連通している。
【００３１】
液体導入部３６２は、内部にインクが流通できる針状である。液体導入部３６２は中心軸ＣＬに沿って延びる。この中心軸ＣＬに沿った方向（液体導入部３６２が延びる方向）をＫ１軸方向とする。Ｋ１軸方向はＺ軸方向と直交する。Ｋ１軸方向とＺ軸方向とに直交する方向をＫ２軸方向とする。Ｋ１軸方向とＫ２軸方向とによって規定される面と、図１に示すＸ軸方向とＹ軸方向とによって規定される面とは平行である。Ｋ１軸方向のうち、プリンター１０の外方へ向かう方向が＋Ｋ１軸方向であり、プリンター１０の内方に向かう方向が−Ｋ１軸方向である。図４に示した収容空間部２６Ｂにおける着脱ユニット３０Ｃ、着脱ユニット３０Ｍおよび着脱ユニット３０Ｙは、プリンター１０を鉛直上方（＋Ｚ軸方向）から見たとき、液体導入部３６２の中心軸ＣＬが延びるＫ１軸がＸ軸と斜めに交差するよう、液体導入部３６２を備え、Ｋ１軸はＸ軸方向に延びる装置第３面１０６に対して所定の角度ａ１をなす。この角度ａ１については後述する。図３に示した収容空間部２６Ａにおける着脱ユニット３０Ｋは、液体導入部３６２の中心軸ＣＬが延びるＫ１軸がＸ軸と直交するよう、液体導入部３６２を備える。そして、この液体導入部３６２には、その中心軸ＣＬが延びるＫ１軸に沿って、液体収容体５０における液体供給ユニット５５の液体供給部５７が接続可能となる。
【００３２】
液体導入機構３６と接点機構３８とは、液体導入機構３６を＋Ｋ１軸方向から見た正面視において、水平方向に並んでＫ２軸方向に沿って配置されている。Ｋ２軸方向のうち、液体導入機構３６から接点機構３８に向かう方向が＋Ｋ２軸方向であり、接点機構３８から液体導入機構３６に向かう方向が−Ｋ２軸方向である。また、着脱ユニット３０において、Ｚ軸方向を「高さ方向」とも呼び、Ｋ１軸方向を「幅方向」とも呼び、Ｋ２軸方向を「奥行き方向」とも呼ぶ。
【００３３】
図５および図６に示すように、接点機構３８は、複数（本実施形態では９つ）の装置側端子３８１を有する電気接続部（装置側電気接続部）３８２と、複数（本実施形態では２つ）の装置側基板位置決め部３８４、３８５とを備える。接点機構３８が有する複数の装置側端子３８１は、後述する液体収容体５０における収容体側電気接続部５８の複数の液体収容体側端子５８１（５８１Ａ〜５８１Ｉ）と接触可能であり、上記したＫ２軸方向に水平に並んで配置されている。つまり、液体収容体５０の装着状態において、電気接続部３８２の装置側端子３８１は、液体収容体５０の回路基板と接触（電気的に接続）する。これにより、液体収容体５０の回路基板と、プリンター１０との間で各種情報（例えば、液体収容体５０のインク色や製造年月日）が通信可能となる。そして、複数の装置側端子３８１の水平方向（Ｋ２軸方向）の並びに直交する方向は、既述したｋ１軸方向と一致し、Ｘ軸方向に延びる装置第３面１０６に対して所定の角度ａ１をなす。装置側端子３８１は、弾性変形可能な金属製の板バネによって形成されている。装置側基板位置決め部３８４，３８５は、電気接続部３８２のＫ２軸方向（液体導入機構３６と接点機構３８とが並ぶ方向）における両側に配置されている。装置側基板位置決め部３８４、３８５は、液体収容体５０が着脱ユニット３０に装着される時に、電気接続部３８２に対する液体収容体５０の回路基板の最終的な位置決めを行う。装置側基板位置決め部３８４，３８５は、Ｋ１軸方向に沿って延びる部材である。
【００３４】
可動部材４０は、固定部材３５に対してＫ１軸方向に沿って移動可能に構成される。可動部材４０は、基部４１と、供給部支持部４２と、基板支持部４８とを備える。供給部支持部４２および基板支持部４８はそれぞれ、基部４１に接続されている。供給部支持部４２および基板支持部４８はそれぞれ、基部４１から＋Ｚ軸方向側（上側）に延びる部材である。
【００３５】
供給部支持部４２は、液体導入部３６２に対する液体収容体５０（詳細には液体供給部）の位置を決定するための部材である。着脱ユニット３０をＫ１軸方向に沿って見た時に、供給部支持部４２は液体導入部３６２と重なる位置に設けられている。供給部支持部４２は、−Ｚ軸方向に向かって凹形状を形成するように設けられている。供給部支持部４２は、Ｋ２軸方向における両側に溝部４０７が形成されている。溝部４０７に、液体収容体５０の後述する位置決め部が入り込むことによって、液体収容体５０が備える液体供給部の動きが規制される。すなわち、供給部支持部４２を区画形成する複数の面部（例えば、第１支持面部４０２、第２支持面部４０３、第３支持面部４０４）によって、液体収容体５０が備える液体供給部の動きが規制され、液体収容体５０の着脱ユニット３０に対するある程度の位置決めが行われる。供給部支持部４２のうち、液体導入部３６２側に位置する第１支持面部４０２には、切欠部４０６が形成されている。切欠部４０６は、＋Ｚ軸方向側が開口する凹形状である。着脱ユニット３０をＫ１軸方向に沿って見た時に、切欠部４０６は、液体導入部３６２と重なる位置に設けられている。可動部材４０を固定部材３５に対して最も＋Ｋ１軸方向に移動させた第１の状態において、切欠部４０６は液体導入部３６２よりも＋Ｋ１軸方向側に位置する。また、図６に示すように、第２の状態では切欠部４０６内に液体導入部３６２の先端が位置する。
【００３６】
基板支持部４８は、接点機構３８に対する液体収容体５０（詳細には回路基板）の位置を決定するための部材である。着脱ユニット３０をＫ１軸方向に沿って見た時に、基板支持部４８は接点機構３８と重なる位置に設けられている。基板支持部４８は、−Ｚ軸方向に向かって凹形状を形成するように設けられている。基板支持部４８を区画形成する複数の面部（例えば、第１基板支持面部４８２）によって、液体収容体５０の回路基板の動きが規制される。
【００３７】
Ａ−３．液体収容体５０の構成：
図７は液体収容体５０の第１の斜視図である。図８は液体収容体５０の第２の斜視図である。図７および図８には、液体収容体５０が着脱ユニット３０に装着された状態（装着状態）におけるＺ軸、Ｋ１軸、Ｋ２軸を示している。また、図７および図８は、液体としてのインクが充填され、かつ、着脱ユニット３０に装着される前の状態（未使用状態）における液体収容体５０を示している。なお、後述する液体収容体５０を説明するための図についても必要に応じて互いに直交するＺ軸、Ｋ１軸、Ｋ２軸を示している。図７以降の図面では、液体収容体５０Ｃを例に構成についての説明を行うが、液体収容体５０Ｋ，５０Ｍ，５０Ｙについても液体収容体５０Ｃと同様の構成である。
【００３８】
図７に示すように、液体収容体５０は、液体収容部５２と、操作部材（ハンドル部）５３とを備える。操作部材５３は、液体収容部５２の一端側に位置して取り付けられ、既述した着脱ユニット３０に接続されるときに液体収容体５０の上部に位置する。操作部材５３は、把持部（支持部）５４と、液体供給ユニット５５と、基板ユニット（収容体側電気接続部）５８と、押圧部５４５（図８）とを備える。把持部５４は、利用者が液体収容体５０を支持（把持）するための部分である。液体供給ユニット５５は、着脱ユニット３０が備える液体導入部３６２および供給部支持部４２（図６）に対応する部分である。基板ユニット５８は、着脱ユニット３０が備える電気接続部３８２および基板支持部４８（図６）に対応する部分である。なお、操作部材５３の把持部５４は、本実施形態では「ロ」の字状に形成されているが、「Ｃ」字状や、「Ｔ」字状に形成してもよい。
【００３９】
液体収容部５２は、液体としてのインクを収容可能である。液体収容部５２は、袋面（外表面）が露出した状態で操作部材５３に取り付けられている。すなわち、液体収容部５２は、ケースなどに収容されることなく外部から視認可能に構成されている。液体収容部５２は、収容されたインクの減少に伴って容積が減少する。
【００４０】
液体収容部５２は、第１のフィルム５２１と、第２のフィルム５２２と、第３のフィルム５２３とを有する。第１〜第３のフィルム５２１〜５２３は、内側にインクを収容するための空間部を区画する。ここで、液体収容部５２のうち、操作部材５３が取り付けられた側を一端部（上端部）５０１側とし、一端部５０１と対向する側を他端部（底端部）５０２側とする。また、液体収容部５２のうち、一端部側（＋Ｋ２軸方向側）を第１側端部５０３側とし、他端部側（−Ｋ２軸方向側）を第２側端部５０４側とする。底端部５０２は、第３のフィルム５２３に折癖として設けられた折り目５２３ｍにより第１のフィルム５２１と第２のフィルム５２２とが重なるように、内方に折り畳み可能なマチとなる。
【００４１】
液体収容体５０の装着状態において、第１のフィルム５２１および第２のフィルム５２２は液体収容部５２の側面を構成する。また、液体収容体５０の装着状態において、第３のフィルム５２３は液体収容部５２の底面を構成する。第１のフィルム５２１および第２のフィルム５２２は、向かい合って配置されている。第１のフィルム５２１および第２のフィルム５２２は、互いの周縁領域５１Ｗの一部が溶着されている。詳細には、周縁領域５１Ｗのうち、一端部５０１側部分と、第１側端部５０３側部分と、第２側端部５０４側部分とが溶着されている。理解の容易のために、図７および図８において、第１と第２のフィルム５２１，５２２が溶着された部分にはクロスハッチングを付している。また、液体収容部５２の一端部５０１（詳細には、第１と第２のフィルム５２１，５２２の一端部）には操作部材５３が溶着されている。すなわち、操作部材５３は、液体収容部５２の一端部５０１に位置する部材である。理解の容易のために、図７および図８において、操作部材５３と第１および第２のフィルム５２１，５２２との溶着部分には実線のシングルハッチングを付している。
【００４２】
第３のフィルム５２３は、第３のフィルム５２３の周縁領域５１Ｙと、第１のフィルム５２１および第２のフィルム５２２の周縁領域５１Ｗの一部とが溶着されている。第３のフィルム５２３が第１および第２のフィルム５２１，５２２に溶着された部分には一点鎖線のシングルハッチングを付している。このように、本実施形態の液体収容部５２は、３つのフィルム５２１，５２２，５２３を溶着等によって接着したタイプ（いわゆる、底面を有するパウチタイプ）である。
【００４３】
第１〜第３のフィルム５２１〜５２３はそれぞれ、可撓性を有する部材である。第１〜第３のフィルム５２１〜５２３の材料（材質）としては、例えば、ポリエチレンテレフタレート（ＰＥＴ），ナイロン，ポリエチレンなどが用いられる。また、これらの材料で構成されたフィルムを複数積層した積層構造を用いて第１〜第３のフィルム５２１〜５２３を形成してもよい。このような積層構造では、例えば、外層を耐衝撃性に優れたＰＥＴ又はナイロンによって形成し、内層を耐インク性に優れたポリエチレンによって形成してもよい。さらに、アルミニウムなどを蒸着した層を有するフィルムを積層構造の１つの構成部材としてもよい。これにより、ガスバリア性を高めることができるので、例えば液体収容部５２に収容されたインクの濃度変化を抑制できる。このように、液体収容部５２の材質は任意に設定できる。
【００４４】
また、液体収容部５２の形状と大きさとはそれぞれ任意に設定できる。例えば、ブラックのインクを収容する液体収容部５２Ｋは、他の色（例えば、シアン）のインクを収容する液体収容部５２Ｃよりも容積（大きさ）を大きくしてもよい。また例えば、液体収容部５２は、本実施形態では第１〜第３のフィルム５２１〜５２３を溶着等によって接着したタイプであったが、第３のフィルム５２３を省略し、第１と第２のフィルム５２１，５２３を溶着等によって接着したタイプ（いわゆる、ピロータイプ）としてもよい。ここで、上述のごとく、液体収容部５２と操作部材５３とは別部材である。よって、操作部材５３は同じ部品を用いつつ、容易に液体収容部５２の種類（形状と大きさと材質）を変更できる。すなわち、液体収容部５２に収容される液体の特性や量等に応じて液体収容部５２の形状と大きさと材質とを設定できるため、設計の自由度が向上できる。
【００４５】
液体収容体５０は、さらに、液体収容部５２に収容されたインクを液体供給ユニット５５（詳細には後述する液体供給部）に流通させるための流路部材７０を有する。本実施形態において、流路部材７０はチューブである。流路部材７０は、液体収容部５２の内側に配置されている。
【００４６】
図９は液体収容体５０の一部分を示す第１の斜視図である。図１０は液体収容体５０の一部分を示す第２の斜視図である。図１１は液体収容体５０の一部分を示す第３の斜視図である。図１２は液体収容体５０の一部分を示す第４の斜視図である。図１３は液体収容体５０の一部分の正面図である。図１４は液体収容体５０の一部分の背面図である。図１５は液体収容体５０の一部分の上面図である。図１６は液体収容体５０の一部分の右側面図である。図１７Ａは図１３のＦ１３−Ｆ１３線断面図である。図１７Ｂは回路基板５８２の正面図である。図１７Ｃは図１７Ｂの矢視Ｆ１７Ｂである。図９〜図１７Ａにおいて、液体収容体５０が備える液体収容部５２の図示は省略している。
【００４７】
図９および図１０に示すように、操作部材５３は、把持部５４と、第１の接続部５４６と、第２の接続部５４７と、基部５４８と、取付部５４９とを備える。ここで、操作部材５３について、Ｚ軸方向を「高さ方向」とも呼び、Ｋ１軸方向を「厚み方向」とも呼び、Ｋ２軸方向を「幅方向」とも呼ぶ。
【００４８】
把持部５４と、第１の接続部５４６と、第２の接続部５４７と、基部５４８とはそれぞれ棒状である。把持部５４と、第１の接続部５４６と、第２の接続部５４７と、基部５４８とによって枠状の部材が形成される。これにより、操作部材５３には、利用者の手を受け入れるための略矩形状の受入空間部５４２が区画形成される。
【００４９】
把持部５４は、利用者が液体収容体５０を把持する部分である。把持部５４は、Ｋ２軸方向に沿って延びる。図１１に示すように、把持部５４は、受入空間部５４２と接する把持面（支持面）５４１を有する。把持面５４１は、利用者によって直接に支持（把持）される部分である。把持面５４１は、装着状態においてＺ軸方向に略垂直な平面である。
【００５０】
図９に示すように、第１の接続部５４６は、把持部５４のうちＫ２軸方向における一端部から基部５４８側（−Ｚ軸方向側、図７に示す液体収容部５２側）に延びる部材である。第２の接続部５４７は、把持部５４のうちＫ２軸方向における他端部から基部５４８側（−Ｚ軸方向側、図７に示す液体収容部５２側）に延びる部材である。基部５４８は、受入空間部５４２を挟んで把持部５４と対向する部分である。基部５４８は、Ｋ２軸方向に沿って延びる。基部５４８には、後述する位置決め部５６と、回路基板保持部（接触部配置部）５９と、押圧部５４５（図１２）とが取り付けられている。
【００５１】
取付部５４９は、基部５４８を挟んで把持部５４が位置する側とは反対側に位置する。取付部５４９は、基部５４８と隣接する。取付部５４９は、Ｋ２軸方向に沿って延びる。取付部５４９は、液体収容部５２の一端部５０１（図７）が溶着等によって取り付けられる部分である。また、図１３および図１７Ａに示すように、取付部５４９は液体収容部５２に収容されたインクを液体供給部５７に流通させるための導出部５５０を有する。導出部５５０に流路部材７０が接続されることで、流路部材７０を流れたインクが導出部５５０を介して液体供給部５７に流通する。なお、理解の容易の為に、図１３および図１４には、取付部５４９のうち液体収容部５２が取り付けられる部分にはシングルハッチングを付している。
【００５２】
図９および図１０に示すように、液体供給ユニット５５は、液体供給部５７と位置決め部５６とを備える。但し、位置決め部５６は液体供給部５７とは別体で構成され、液体供給部５７との間に僅かな隙間が形成されている。液体供給ユニット５５は、操作部材５３から−Ｋ１軸方向に突出して設けられている。
【００５３】
液体供給部５７は、一端である液体供給口５７２と、他端である供給接続部５７３とを有する。液体供給口５７２は、液体収容部５２の内部と連通し、液体収容部５２に収容されたインクを外部（プリンター１０）に導く。液体供給口５７２は、把持面５４１に垂直な平面（Ｚ軸方向とＫ２軸方向によって規定される面）を規定する。供給接続部５７３は操作部材５３に接続されている。液体供給部５７は、Ｋ１軸方向（中心軸ＣＴ方向）に沿って延びる筒状部材（環状部材）である。液体供給部５７は、操作部材５３より−Ｋ１軸方向に突出して設けられている。
【００５４】
液体供給部５７は、中心軸ＣＴを備える。中心軸ＣＴは、Ｋ１軸方向と平行である。ここで、Ｋ１軸方向のうち、液体供給口５７２から供給接続部５７３に向かう方向が＋Ｋ１軸方向であり、供給接続部５７３から液体供給口５７２に向かう方向が−Ｋ１軸方向である。こうした構成の液体供給ユニット５５は、液体収容体５０に収容済みのインクを、流路部材７０と共同して、液体収容体５０から外部に導く。
【００５５】
図１５に示すように、把持面５４１は、液体供給部５７の中心軸ＣＴ方向（Ｋ１軸方向）に垂直な方向（＋Ｚ軸方向）側に配置されている。把持面５４１を含む操作部材５３は、液体供給口５７２に対し中心軸ＣＴ方向にオフセットするように設けられている。言い換えれば、把持面５４１と直交する方向で、且つ、液体供給部５７から把持面５４１に向かう方向（＋Ｚ軸方向）側から液体収容体５０を見たときに、液体供給口５７２は把持面５４１（操作部材５３）と重ならない位置に配置されている。すなわち、液体収容体５０を把持面５４１に垂直な面に投影した時に、把持面５４１と液体供給口５７２とは重ならない位置関係にある。
【００５６】
図９に示すように、未使用状態の液体収容体５０では、液体供給口５７２がフィルム９９によって塞がれている。これにより、液体収容体５０が着脱ユニット３０（図５）に装着される前において、液体供給口５７２からインクが外部に漏れ出すことを抑制できる。フィルム９９は、液体収容体５０が着脱ユニット３０に装着する際に液体導入部３６２（図５）によって破られる。
【００５７】
図１７Ａに示すように、液体供給部５７の内部には、液体供給部５７によって形成された液体流路を開閉するための弁機構５５１が配置されている。弁機構５５１は、弁座５５２と、弁体５５４と、バネ５５６とを備える。液体供給部５７の液体供給口５７２から供給接続部５７３に向かって、弁座５５２、弁体５５４、バネ５５６の順に液体供給部５７内に収容されている。
【００５８】
弁座５５２は、略円環状の部材である。弁座５５２は、例えば、ゴムやエラストマー等の弾性体によって構成されている。弁座５５２は、液体供給部５７の内部に圧入されている。弁体５５４は、略円柱状の部材である。弁体５５４は、液体収容体５０が着脱ユニット３０に装着される前の状態において弁座５５２に形成された孔（弁孔）を塞ぐ。バネ５５６は、圧縮コイルバネである。バネ５５６は、弁体５５４を弁座５５２側に向かう方向に付勢する。液体収容体５０の装着状態では、液体導入部３６２（図５）が弁体５５４を供給接続部５７３側に押すことで、弁体５５４が供給接続部５７３側に移動する。これにより、弁体５５４が弁座５５２から離れて弁機構５５１が開状態になる。弁機構５５１が開状態の時に、液体収容部５２（図７）に収容されたインクは、流路部材７０、操作部材５３の内部流路５５８および液体供給部５７を流れて外部に流出可能となる。
【００５９】
図９に示すように、位置決め部５６は、液体収容体５０（液体収容体）がプリンター１０に接続されるときに、液体供給口５７２を含めた液体収容体５０のプリンター１０に対するある程度の位置決めを行う。位置決め部５６は、操作部材５３に一体的に設けられている。本実施形態では、位置決め部５６は、操作部材５３と一体成形により作成されることで、操作部材５３と一体的に設けられる。ここで、「一体的に設けられる」とは、位置決め部５６が操作部材５３の動きに連動するように操作部材５３に設けられていることを意味する。他の実施形態では、操作部材５３に対し位置決め部５６を溶着等により取り付けることで、位置決め部５６を操作部材５３に一体的に設けてもよい。また、位置決め部５６は液体供給口５７２の近傍に液体供給口５７２の上方を除く周方向を囲むような形態で設けられているが、操作部材５３が変形しにくい材料から成る場合は、操作部材５３のうち、液体供給口５７２から多少離れた位置に設けてもよい。位置決め部５６は、操作部材５３から−Ｋ１軸方向に突出する。
【００６０】
図９および図１０に示すように、位置決め部５６は、液体供給口５７２の近傍に配置されている。また、図１３に示すように、位置決め部５６の少なくとも一部は、液体供給口５７２の液体収容部５２（図７）側（−Ｚ軸方向側）に設けられている。本実施形態では、中心軸ＣＴを中心とした液体供給部５７の周囲に位置決め部５６は配置されている。詳細には、位置決め部５６は、液体供給部５７の周囲のうち、把持部５４側の除く周囲に配置されている。位置決め部５６は、液体収容体５０をプリンター１０に接続するときに、着脱ユニット３０（図５）が備える供給部支持部４２の内側に配置される。これにより、供給部支持部４２を区画形成する複数の面部（例えば、図５に示す第１支持面部４０２、第２支持面部４０３、第３支持面部４０４）と、位置決め部５６とが当たることによって、液体供給部５７の動きが規制され、液体収容体５０がある程度位置決めされる。その後、液体供給口５７２は収容体側位置決め部としての突起５７７ａ〜５７７ｄ（図９〜図１１）により位置決めされた状態で液体導入部３６２に接続される。突起５７７ａ〜５７７ｄは、液体供給部５７のうち、中心軸ＣＴを中心とした外周に設けられている。突起５７７ａ〜５７７ｄは、液体供給口５７２の上下左右の位置で液体供給部５７に設けられている。詳細には、図９に示すように第１の突起５７７ａは、液体供給部５７のうち重力上方向側（＋Ｚ軸方向側）の部分に配置されている。第２の突起５７７ｂは、液体供給部５７のうち−Ｋ２軸方向側の部分に配置されている。図１０に示すように第３の突起５７７ｃは、液体供給部５７のうち＋Ｋ２軸方向側の部分に配置されている。図１１に示すように第４の突起５７７ｄは、液体供給部５７のうち重力下方向側（−Ｚ軸方向側）の部分に配置されている。なお、第１〜第４の突起５７７ａ〜５７７ｄを区別すること無く用いる場合は、符号「５７７」を用いる。
【００６１】
液体供給ユニット５５は、液体収容部５２（図７）に収容されたインクをプリンター１０に供給する機能を有する。よって、液体供給ユニット５５は、「液体供給部」として捉えることもできる。この場合、液体供給部としての液体供給ユニット５５は、一端に液体供給口５７２を有する液体供給部５７と、位置決め部５６とを備える。
【００６２】
図９および図１０に示すように、基板ユニット（収容体側電気接続部）５８は、回路基板５８２と、回路基板保持部５９とを備える。基板ユニット５８は、操作部材５３から−Ｋ１軸方向に突出して設けられる。基板ユニット５８の突出方向は、液体供給部５７の突出方向（−Ｋ１軸方向）と同じである。なお、基板ユニット５８の突出方向と、液体供給部５７の突出方向とは、同じでなくても良く、略平行であればよい。また、基板ユニット５８と液体供給部５７とは、操作部材５３に対して同じ側（−Ｋ１軸方向側）に向かって操作部材５３から突出している。
【００６３】
図１５に示すように、基板ユニット５８は、把持面５４１と平行な方向に液体供給ユニット５５と並んで設けられている。具体的には、基板ユニット５８と液体供給ユニット５５とは、把持面５４１と平行な方向であって、且つ、中心軸ＣＴと直交する方向であるＫ２軸方向に並んで設けられている。
【００６４】
図９に示すように、回路基板保持部５９は、液体収容体５０がプリンター１０に接続されるときに、プリンター１０に対して回路基板５８２を位置決めする。回路基板保持部５９は、操作部材５３に一体的に設けられている。本実施形態では、回路基板保持部５９は、操作部材５３と一体成形により作成されることで、操作部材５３と一体的に設けられる。ここで、「一体的に設けられる」とは、回路基板保持部５９が操作部材５３の動きに連動するように操作部材５３に設けられていることを意味する。なお、他の実施形態では、操作部材５３に対し回路基板保持部５９を溶着等により取り付けることで、回路基板保持部５９を操作部材５３に一体的に設けてもよい。
【００６５】
回路基板保持部５９は、＋Ｚ軸方向側（把持部５４が位置する側）が開口する凹形状である。凹形状の底部５９４は、把持面５４１（図１１）に対して傾斜している。底部５９４に回路基板５８２が取り付けられることで、回路基板５８２は回路基板保持部５９に上記のように傾斜して保持される。回路基板保持部５９の少なくとも一部（底部５９４）は、回路基板５８２の液体収容部５２（図７）側（−Ｚ軸方向側）に設けられている。すなわち、基板ユニット（収容体側電気接続部）５８のうち、接触部ｃｐ（図１７Ｂ）と異なる少なくとも一部（底部５９４）は、接触部ｃｐの液体収容部５２側に設けられている。
【００６６】
回路基板保持部５９は、底部５９４のＫ２軸方向の両側からそれぞれ＋Ｚ軸方向側に延びる第１の側壁部５９２および第２の側壁部５９３を有する。図１０に示すように、第１の側壁部５９２は溝部５９３ｔを有する。図９に示すように、第２の側壁部５９３は溝部５９２ｔを有する。液体収容体５０がプリンター１０に接続されるときに、回路基板保持部５９は、まず基板支持部４８（図５）によって支持される。これにより、装置側端子３８１（図５）に対する回路基板保持部５９および回路基板５８２のある程度の位置決めが行われる。そして、図５に示す着脱ユニット３０の可動部材４０を−Ｋ１軸方向に移動させることで、図５に示す装置側位置決め部３８５が回路基板保持部５９の溝部５９３ｔ（図９）に入り込み、また、図６に示す装置側基板位置決め部３８４（図６）が回路基板保持部５９の溝部５９２ｔ（図１０）に入り込む。これにより、装置側端子３８１に対する回路基板保持部５９および回路基板５８２の位置決めが行われる。
【００６７】
図１３に示すように回路基板５８２は、表面に複数の端子５８１を有する。本実施形態では、端子５８１は装置側端子３８１の数（９つ）に対応して９つ配置されている。本実施形態では、端子５８１の外形は略矩形状である。また、回路基板５８２の裏面には記憶装置５８３（図１７Ｃ）が配置されている。記憶装置５８３は、液体収容体５０に関する情報（例えば、インク残量、インク色）を格納する。記憶装置５８３と複数の端子５８１とは電気的に接続されている。装着状態において、複数の端子５８１はそれぞれ、プリンター１０が備える電気接続部３８２の対応する装置側端子３８１（図６）と電気的に接続される。
【００６８】
図１７Ｂに示すように、回路基板５８２の＋Ｚ軸方向側の上側端部５８６にはボス溝５８４が形成され、回路基板５８２の−Ｚ軸方向側の下側端部５８７にはボス孔５８５が形成されている。回路基板５８２は、ボス溝５８４およびボス孔５８５を用いて底部（配置部）５９４に固定されている。
【００６９】
図１７Ｂおよび図１７Ｃに示すように、回路基板５８２は、表面５８２ｆａに設けられた液体収容体側端子群５８０と、裏面５８２ｆｂに設けられた記憶装置５８３とを有する。表面５８２ｆａおよび裏面５８２ｆｂは平面である。
【００７０】
液体収容体側端子群５８０は、９つの端子５８１Ａ〜５８１Ｉからなる。記憶装置５８３は、液体収容体５０に関する情報（例えば、インク残量、インク色）等を格納する。
【００７１】
図１７Ｂに示すように、９つの液体収容体側端子５８１Ａ〜５８１Ｉはそれぞれ略矩形状に形成され、Ｚ軸方向の異なる位置に２つの列Ｌｎ１，Ｌｎ２を形成するように配置されている。列Ｌｎ１，Ｌｎ２はＫ２軸方向に平行である。
【００７２】
液体収容体側端子５８１Ａ〜５８１Ｉのそれぞれの中央部には、対応する装置側端子３８１（図６）に接触する接触部ｃｐを有する。上記の列Ｌｎ１，Ｌｎ２は複数の接触部ｃｐによって形成される列であると考えることもできる。９つの液体収容体側端子５８１Ａ〜５８１Ｉを区別することなく用いる場合は符号「５８１」を用いる。着脱ユニット３０における接点機構３８との関係を述べると、液体収容体５０における複数の液体収容体側端子５８１は、接点機構３８が有する複数の装置側端子３８１に接触可能であり、操作部材５３に配設されていることになる。
【００７３】
このように、収容体側電気接続部５８は、装置側電気接続部３８２と接触可能な接触部ｃｐを有する。また、収容体側電気接続部５８は、図９に示すように、操作部材５３に一体的に設けられている。
【００７４】
図１５に示すように、把持面５４１は、液体供給部５７の中心軸ＣＴ方向に垂直な方向（＋Ｚ軸方向）側に配置されている。収容体側電気接続部としての基板ユニット５８は、把持面５４１を含む操作部材５３に対し中心軸ＣＴ方向にオフセットするように設けられている。言い換えれば、把持面５４１と直交する方向で、且つ、液体供給部５７から把持面５４１に向かう方向（＋Ｚ軸方向）側から液体収容体５０を見たときに、基板ユニット５８は、把持面５４１（操作部材５３）と重ならない位置に配置されている。すなわち、液体収容体５０を把持面５４１に垂直な面に投影した時に、把持面５４１と基板ユニット５８とは重ならない位置関係にある。この場合、基板ユニット５８のうち少なくとも回路基板５８２が把持面５４１（操作部材５３）と重ならない位置に配置されていればよい。
【００７５】
図９および図１２に示すように、操作部材５３のうち−Ｋ１軸方向側を第１側５３ｆａとし、操作部材５３のうち第１側５３ｆａとは反対側である＋Ｋ１軸方向側を第２側５３ｆｂとする。図９に示すように、回路基板保持部５９（基板ユニット５８）と位置決め部５６とは同じ側である第１側５３ｆａに設けられている。
【００７６】
図１２に示すように、押圧部５４５は、操作部材５３を挟んで位置決め部５６および回路基板保持部５９（基板ユニット５８）と対向する第２側５３ｆｂに設けられている。すなわち、図１１に示すように、位置決め部５６および回路基板保持部５９は、基部５４８のうち第１側５３ｆａの表面に設けられているのに対し、図１２に示すように、押圧部５４５は、基部５４８のうち第２側５３ｆｂの表面に設けられている。また、図１５および図１６に示すように、押圧部５４５の少なくとも一部は、位置決め部５６および回路基板保持部５９と操作部材５３を挟んで対向する。
【００７７】
押圧部５４５は、液体収容体５０をプリンター１０に接続するときに、利用者によって押圧される部分である。すなわち、押圧部５４５は手動で押圧される部分である。押圧部５４５を−Ｋ１軸方向側に押すことで、液体収容体５０がセットされた可動部材４０（図６）を−Ｋ１方向側に移動させる。
【００７８】
押圧部５４５は、操作部材５３から＋Ｋ１軸方向に突出して設けられている。これにより、押圧部５４５と他の部分とを識別し易くでき、液体収容体５０をプリンター１０に接続する際に、押圧部５４５を押圧する操作を利用者に対し促すことができる。また、図１４に示すように、押圧部５４５は、Ｋ１軸方向に沿った方向から操作部材５３を見たときに、押圧部５４５の外形の一部は、基部５４８よりも外側にはみ出している。これにより、押圧部５４５の表面積を大きくできるため、利用者は押圧部５４５を押圧し易くできる。
【００７９】
操作部材５３、回路基板保持部５９、位置決め部５６、液体供給部５７、押圧部５４５は同一材料によって形成しても良いし、用途に応じて異なる材料によって形成してもよい。操作部材５３の材料としては、例えば、ポリエチレン（ＰＥ）やポリプロピレン（ＰＰ）やＡＢＳ樹脂などの合成樹脂を用いることができる。
【００８０】
Ａ−４．液体収容体５０の着脱ユニット３０への装着方法：
図１８は液体収容体５０が着脱ユニット３０にセットされた時の図である。図１９は図１８のＦ１８−Ｆ１８部分断面図である。図２０は液体収容体５０が着脱ユニット３０に装着された時の図である。図２１は図２０のＦ２０−Ｆ２０部分断面図である。図１８および図１９に示す着脱ユニット３０の状態は、図５と同様に第１の状態である。図２０および図２１に示す着脱ユニット３０の状態は、図６と同様に第２の状態である。
【００８１】
図１９に示すように、液体収容体５０を着脱ユニット３０に装着する際には、液体収容体５０をセット方向に移動させる操作（セット操作又は第１の操作）と、接続方向に移動させる操作（接続操作又は第２の操作）との２つの操作が行われる。セット方向は、鉛直下方向（−Ｚ軸方向）成分を含む方向である。本実施形態では、セット方向は、鉛直下方向である。
【００８２】
利用者は、第１の状態にある着脱ユニット３０に対して、液体収容体５０を着脱ユニット３０の可動部材４０にセットする。具体的には、利用者は、操作部材５３が液体収容部５２よりも鉛直上方向になる状態で把持部５４を把持する。そして、図１８および図１９に示すように、液体収容体５０の位置決め部５６を供給部支持部４２内に配置させると共に、基板支持部４８内に回路基板保持部５９を配置させる。
【００８３】
液体収容体５０が可動部材４０にセットされた後に、図１９の矢印Ｆに示すように、利用者は押圧部５４５を、可動部材４０に向けて−Ｋ軸方向側に押す。これにより、液体収容体５０および可動部材４０は接続方向（−Ｋ１軸方向）に移動する。
【００８４】
図２１に示すように、可動部材４０が固定部材３５に収容された着脱ユニット３０の第２の状態では、液体供給部５７内に液体導入部３６２（図１９）が挿入（接続）される。また、第２の状態では、回路基板５８２の端子５８１（図１３）と電気接続部３８２の装置側端子３８１（図６）とが接触することで、回路基板５８２と電気接続部３８２とが電気的に接続される。
【００８５】
上記した液体収容体５０の液体供給部５７への着脱ユニット３０の液体導入部３６２の接続と、液体収容体５０の回路基板５８２と着脱ユニット３０の電気接続部３８２との電気的な接続とは、液体収容体５０の装着に伴い同時になされる。そして、液体収容体５０の装着に際して、着脱ユニット３０は、図２０および図２１に示すように、液体収容体５０が露出した状態で、この液体収容体５０の一部、即ち上端を支持する。
【００８６】
次に、着脱ユニット３０への液体収容体５０の装着の様子を他の方向から見て説明する。図２２は液体収容体５０の装着動作の初期の様子をプリンター１０における鉛直上方から見て示す第１の説明図、図２３は液体収容体５０の装着動作の後半の様子をプリンター１０における鉛直上方から見て示す第２の説明図、図２４は液体収容体５０の装着動作の初期の様子を−Ｋ１軸方向から見て示す第３の説明図、図２５は液体収容体５０の装着動作における図１９のセット方向の動作の様子を−Ｋ１軸方向から見て示す第４の説明図、図２６は液体収容体５０の装着動作における図１９のセット方向の動作の完了状態を−Ｋ１軸方向から見て示す第５の説明図である。
【００８７】
図２２と図２３は、プリンター１０が右側壁１０６にシアン、マゼンタ、イエローの各色ごとの着脱ユニット３０を備える本実施形態において、真ん中の着脱ユニット３０Ｍに液体収容体５０Ｍを新たに装着する様子を、プリンター１０における鉛直上方から見て示している。図示するように、液体収容体５０Ｍの装着前には、その装着対象となる着脱ユニット３０Ｍより装置第１面１０２（装置正面１０２）の側の着脱ユニット３０Ｙと装置正面１０２から離れた側の着脱ユニット３０Ｃとには、液体収容体５０Ｙと液体収容体５０Ｃが装着済みである。この状態において、利用者は、新たな液体収容体５０Ｍについて、液体収容部５２より上端側の操作部材５３の把持部５４（図７、図８参照）を把持する。次いで、利用者は、把持部５４を把持したまま、液体収容体５０Ｍを装置正面１０２の側から着脱ユニット３０Ｍの側に移動させ、操作部材５３を着脱ユニット３０Ｍに対面させる。ここまでの第１移動操作５１ＳＭは、図２２〜図２４に示すようにほぼ直線軌跡に沿った操作である。
【００８８】
図２２と図２３に示すように、着脱ユニット３０Ｍの他、着脱ユニット３０Ｃと着脱ユニット３０Ｍにあっても、右側壁１０６の側に位置する。そして、各ユニットが有する液体導入機構３６の液体導入部３６２（図５、図６参照）の中心軸ＣＴが延びるＫ１軸は、プリンター１０を鉛直上方から見たとき、右側壁１０６に対して時計回り方向に角度ａ１をなし、この角度ａ１は、本実施形態では、０度より大きく９０度より小さい６８度とされている。このため、着脱ユニット３０Ｃに装着済みの液体収容体５０Ｃと着脱ユニット３０Ｍに装着済みの液体収容体５０Ｙとは、既述したように右側壁１０６に対して傾斜したＫ１軸と直交して、装置正面１０２から離れた側の周縁端が右側壁１０６に近づき装置第１面１０２の側の周縁端が右側壁１０６から遠ざかる傾斜姿勢を取る。
【００８９】
装置正面１０２の側の着脱ユニット３０Ｙおよびこれに装着済みの液体収容体５０Ｙは、こうした傾斜姿勢を取るため、上記の第１移動操作５１ＳＭの軌跡と全く干渉しない。また、装置正面１０２の側から離れた着脱ユニット３０Ｃおよびこれに装着済みの液体収容体５０Ｃにあっても、上記した傾斜姿勢を取るために、第１移動操作５１ＳＭの完了時点において、着脱ユニット３０Ｍに対面した液体収容体５０Ｍと干渉しない。着脱ユニット３０Ｍへの装着対象となって利用者に把持されている液体収容体５０Ｍは、上記した傾斜姿勢を取るために、その有する液体供給ユニット５５および基板ユニット５８を装置正面１０２の側に向かせた状態で、第１移動操作５１ＳＭの軌跡に沿って移動する。よって、装置正面１０２の側から移動操作を行う利用者は、この第１移動操作５１ＳＭをなす間において、把持した液体収容体５０Ｍの液体供給ユニット５５および基板ユニット５８を視認できる。
【００９０】
操作部材５３を着脱ユニット３０Ｍに対面させた後、利用者は、把持部５４を把持した姿勢のまま、図５の第１の状態にある着脱ユニット３０Ｍの可動部材４０に、操作部材５３を近づける第２移動操作５２ＳＭをなす。この第２移動操作５２ＳＭは、図２５に示すように、可動部材４０の液体導入機構３６と基板支持部４８に、液体供給ユニット５５と基板ユニット５８が接続可能となることで終了する。この第２移動操作５２ＳＭの間においても、液体収容体５０Ｍは上記した傾斜姿勢により液体供給ユニット５５と基板ユニット５８を装置第１面１０２の側に向かせて利用者に視認させる。そして、利用者にあっては、第２移動操作５２ＳＭをなす間において、着脱ユニット３０Ｍにおける可動部材４０の供給部支持部４２と基板支持部４８についても、これを視認する。
【００９１】
利用者は、この第２移動操作５２ＳＭの完了後、把持部５４を把持した姿勢のまま、図１９や図２５に示すセット方向に、液体収容体５０Ｍを操作部材５３ごと移動（セット移動）させる。このセット移動により、可動部材４０の液体導入機構３６と基板支持部４８に液体供給ユニット５５と基板ユニット５８が接続可能な状態とされる。利用者は、こうしたセット移動をなす間においても、液体収容体５０Ｍの液体供給ユニット５５と基板ユニット５８および可動部材４０の供給部支持部４２と基板支持部４８を視認する。利用者は、その後、着脱ユニット３０Ｍの側の液体導入部３６２と液体収容体５０Ｍの側の液体供給部５７との接続、および、着脱ユニット３０Ｍの側の接点機構３８と液体収容体５０Ｍの側の回路基板５８２との接続とを図るべく、図１９に示す接続方向に液体収容体５０が可動部材４０と共に移動するよう、押圧部５４５を押圧する。この押圧により、着脱ユニット３０Ｍの側の液体導入部３６２と接点機構３８とに、液体収容体５０Ｍの側の液体供給部５７と回路基板５８２とが同時に接続されると共に、可動部材４０についても−Ｋ１軸方向に移動して、ロックされる。これにより、液体収容体５０Ｍの交換が終了する。
【００９２】
Ａ−５．効果：
以上説明した構成を備える本実施形態の液体消費システム１０００は、プリンター１０（図１参照）を鉛直上方から見た際の右側壁１０６にシアン、マゼンタ、イエローの各色インクの液体供給装置２０を備える。そして、本実施形態の液体供給装置２０は、各色インクごとの着脱ユニット３０Ｃ、着脱ユニット３０Ｍおよび着脱ユニット３０Ｙを、各ユニットが有する液体導入部３６２が液体導入のために延びるＫ１軸（中心軸ＣＬ）が右側壁１０６に対して時計回り方向に０度より大きく９０度より小さい６８度の角度ａ１をなすように、傾斜して備える（図２２、図２３参照）。こうした本実施形態の液体供給装置２０で、例えば、右側壁１０６において着脱ユニット３０Ｃと着脱ユニット３０Ｙに挟まれた着脱ユニット３０Ｍに新たな液体収容体５０Ｍを装着するには、把持部５４を把持したまま、液体収容体５０Ｍを装置正面１０２の側から着脱ユニット３０Ｍの側に移動させ、操作部材５３を着脱ユニット３０Ｍに対面させるほぼ直線軌跡に沿った第１移動操作５１ＳＭと、着脱ユニット３０Ｍの可動部材４０に操作部材５３を近づけるほぼ直線軌跡の第２移動操作５２ＳＭと、可動部材４０に操作部材５３をセットするセット移動操作と、操作部材５３がセット済みの可動部材４０を押圧してロックするロック操作とを必要とする。
【００９３】
上記した操作の内、第１移動操作５１ＳＭと第２移動操作５２ＳＭの両操作は、着脱ユニット３０Ｍに液体収容体５０が接続されるまでのほぼ直線軌跡に沿った操作であり、装置正面１０２の側の着脱ユニット３０Ｙに装着済みの液体収容体５０Ｙを迂回するような軌跡の操作を必要としない。よって、本実施形態の液体供給装置２０によれば、第１移動操作５１ＳＭと第２移動操作５２ＳＭとを、利用者は操作部材５３を把持した把持姿勢を変えることなく一連の操作として実行できるので、液体収容体５０Ｍの装着操作を容易とする。また、液体収容体５０の接続操作のための収容空間部２６のスペースについても、削減できる。
【００９４】
本実施形態の液体供給装置２０は、上記した各色インクごとの着脱ユニット３０を既述したように右側壁１０６に対して傾斜して備えるので、着脱ユニット３０Ｃに装着済みの液体収容体５０Ｃと着脱ユニット３０Ｍに装着済みの液体収容体５０Ｙとを、右側壁１０６に対して傾斜したＫ１軸と直交して、装置正面１０２から離れた側の周縁端が右側壁１０６に近づき装置正面１０２の側の周縁端が右側壁１０６から遠ざかる傾斜姿勢とする。これにより、本実施形態の液体供給装置２０は、装置正面１０２の側の着脱ユニット３０Ｙおよびこれに装着済みの液体収容体５０Ｙを、液体収容体５０Ｍの装着のための上記の第１移動操作５１ＳＭの軌跡と全く干渉させない。また、装置正面１０２の側から離れた着脱ユニット３０Ｃおよびこれに装着済みの液体収容体５０Ｃにあっても、上記した傾斜姿勢を取るために、第１移動操作５１ＳＭの完了時点において、着脱ユニット３０Ｍに対面した液体収容体５０Ｍと干渉させない。こうしたことからも、本実施形態の液体供給装置２０によれば、他の液体収容体５０との干渉を考慮することなく、ほぼ直線軌跡の第１移動操作５１ＳＭと第２移動操作５２ＳＭをなせばよいので、装着操作を簡便とできる。
【００９５】
本実施形態の液体供給装置２０は、各色インクごとの着脱ユニット３０を既述したように右側壁１０６に対して傾斜して備えるので、装着対象となって利用者に把持される液体収容体５０、例えば液体収容体５０Ｍの液体供給ユニット５５および基板ユニット５８を装置正面１０２の側に向かせた状態とする。よって、本実施形態の液体供給装置２０によれば、上記した第１移動操作５１ＳＭや第２移動操作５２ＳＭおよびその後のセット操作をなす間において、把持した液体収容体５０Ｍの液体供給ユニット５５および基板ユニット５８を、装置正面１０２の側の利用者に視認させるので、上記の各操作の確実性を高めると共に、容易とする。
【００９６】
上記した操作性の容易化は、液体収容体５０Ｍを装着する場合のみ成らず、装置正面１０２の側の着脱ユニット３０Ｙに液体収容体５０Ｙを装着する際や、装置正面１０２から離れた側の着脱ユニット３０Ｃに液体収容体５０Ｃを装着する際にも得られる。
【００９７】
本実施形態の液体供給装置２０は、液体収容体５０を、筐体を用いることなく着脱ユニット３０の固定部材３５にて支持すると共に、その支持に際しては、液体収容体５０の全体でなく一部、より具体的には液体収容体５０をその上端で支持する。よって、本実施形態の液体供給装置２０によれば、筐体を用いて液体収容部を支持する構成に比して、液体収容体５０の支持構成の簡略化が可能となり、こうした構成の簡略化を通して、部材の少数化が可能となるほか、システムの大型化を抑制でき、複雑化も抑制できる。
【００９８】
この他、本実施形態の液体供給装置２０によれば次の利点もある。本実施形態の液体供給装置２０は、位置決め部５６と収容体側電気接続部５８とを操作部材５３に一体的に備える。よって、本実施形態の液体供給装置２０によれば、プリンター１０に液体収容体５０を接続するときに、操作部材５３を把持して液体収容体５０を操作できるため、操作部材５３が無いものに比べて操作性がよい。しかも、液体収容体５０の液体供給部５７への着脱ユニット３０の液体導入部３６２の入り込みと、液体収容体５０の回路基板５８２の各端子と着脱ユニット３０の接点機構３８の電気接続部３８２との電気的な接続とを、同時に達成でき、簡便となる。
【００９９】
Ｂ．第２実施形態：
Ｂ−１．液体供給装置の構成と効果：
図２７は第２実施形態の液体供給装置２０Ｓ１をプリンター１０における鉛直上方から見て示す説明図である。以下、既述した液体供給装置２０と同じ部材については同一の符号を付し、その詳細な説明については省略する。
【０１００】
図示するように、この実施形態の液体供給装置２０Ｓ１は、プリンター１０（図１参照）を鉛直上方から見た際の左側壁１０４の収容空間部２６に、シアン、マゼンタ、イエローの各色インクの液体収容体５０を着脱ユニット３０に装着して備える。そして、本実施形態の液体供給装置２０Ｓ１は、各色インクごとの着脱ユニット３０Ｃ、着脱ユニット３０Ｍおよび着脱ユニット３０Ｙを、各ユニットが有する液体導入部３６２が液体導入のために延びるＫ１軸（中心軸ＣＬ）が左側壁１０４に対して反時計回り方向に０度より大きく９０度より小さい６８度の角度ａ２をなすように、傾斜して備える。こうした本実施形態の液体供給装置２０Ｓ１によっても、既述した液体供給装置２０と同様、液体収容体５０を容易に装着操作できる。
【０１０１】
Ｃ．変形例：
なお、この発明は上記の実施例や実施形態に限られるものではなく、その要旨を逸脱しない範囲において種々の態様において実施することが可能であり、例えば次のような変形も可能である。
【０１０２】
Ｃ−１．第１変形例：
上記した実施形態では、液体収容部５２はその全域が可撓性を有する部材によって形成されていたが、これに限定されるものではなく、液体を内部に収容可能な液体収容部として機能できればよい。例えば、液体収容部５２は一部が可撓性を有する部材によって形成されていても良いし、液体の消費量に拘わらず容積が変化しない硬質な部材によって形成されていてもよい。
【０１０３】
Ｃ−２．第２変形例：
上記実施形態では、操作部材５３は枠状であったが（図１３）、形状はこれに限定されるものではなく、利用者によって把持できる形状であればよい。例えば、操作部材５３は、Ｚ軸方向に沿って延びる棒状（板状）であってもよい。
【０１０４】
Ｃ−３．第３変形例：
本発明は、インクジェットプリンターおよびその液体収容体５０に限らず、インク以外の他の液体を噴射する任意の印刷装置（液体消費装置）およびその液体を収容するための液体収容体にも適用することができる。例えば、以下のような各種の液体消費装置およびその液体収容体に適用可能である。
（１）ファクシミリ装置等の画像記録装置
（２）液晶ディスプレイ等の画像表示装置用のカラーフィルタの製造に用いられる色材噴射装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体消費装置
（５）精密ピペットとしての試料噴射装置
（６）潤滑油の噴射装置
（７）樹脂液の噴射装置
（８）時計やカメラ等の精密機械にピンポイントで潤滑油を噴射する液体消費装置
（９）光通信素子等に用いられる微小半球レンズ（光学レンズ）などを形成するために紫外線硬化樹脂液等の透明樹脂液を基板上に噴射する液体消費装置
（１０）基板などをエッチングするために酸性又はアルカリ性のエッチング液を噴射する液体消費装置
（１１）他の任意の微小量の液滴を吐出させる液体噴射ヘッドを備える液体消費装置
【０１０５】
なお、「液滴」とは、液体消費装置から吐出される液体の状態をいい、粒状、涙状、糸状に尾を引くものも含むものとする。また、ここでいう「液体」とは、液体消費装置が噴射させることができるような材料であればよい。例えば、「液体」は、物質が液相であるときの状態の材料であれば良く、粘性の高い又は低い液状態の材料、および、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。また、紫外線を照射して硬化可能なＵＶインクをこの液体収容体に収容してプリンターに接続した場合は、設置面から液体収容部が浮くため、設置面の熱が液体収容部に伝って硬化する可能性が低減する。
【０１０６】
Ｃ−４．第４変形例：
上記した実施形態では、シアン、マゼンタ、イエローの各色インクの液体収容体５０を装着する着脱ユニット３０を、既述したように傾斜姿勢としたが、ブラックインクの液体収容体５０Ｋを装着する単独の着脱ユニット３０Ｋについても、傾斜姿勢とできる。つまり、着脱ユニット３０Ｋを、左側壁１０４の側に配設した構成であれば、この左側壁１０４に対して反時計回りに既述したように傾斜させ、右側壁１０６の側に配設した構成であれば、この右側壁１０６に対して反時計回りに既述したように傾斜させればよい。
【０１０７】
Ｃ−５．第５変形例：
上記した実施形態では、着脱ユニット３０をＫ１軸方向から正面視した場合に、液体導入機構３６がユニット左方に、接点機構３８がユニット右方に位置するように並べて備えるが（図５、図６参照）、液体導入機構３６がユニット右方に、接点機構３８がユニット左方に位置するようにしてもよい。この場合には、液体収容体５０における液体供給ユニット５５と基板ユニット５８についても、図１３に示す並びと逆の並びとすればよい。
【０１０８】
Ｃ−６．第６変形例：
図２８は電気接続体５０ａを説明するための図である。上記実施形態では、液体収容体５０は、液体収容部５２と液体供給部５７とを備えていたが（図７、図９）、これを省略して電気接続体５０ａとしても良い。すなわち、電気接続体５０ａは、液体収容体５０のうち液体収容部５２と液体供給部５７とを省略した構成である。その他の構成については液体収容体５０と同様である。この電気接続体５０ａを用いた場合、インクを収容する外部に配置されたタンク（液体貯留源）９０２から、タンク９０２と液体導入部３６２とを連通する液体流通管（ホース）９００を介してインクがプリンター１０に供給される。このようにしても、上記実施形態と同様の効果を奏する。例えば、プリンター１０に電気接続体５０ａを接続するときに、既述した傾斜姿勢とされた着脱ユニット３０に、操作部材５３を把持して電気接続体５０ａを既述した第１移動操作５１ＳＭや第２移動操作５２ＳＭとを経て容易に操作できるため、操作部材５３が無いものに比べて操作性が良い。なお、液体流通管（ホース）９００は、液体導入部３６２からプリンター１０の液体消費装置につながる液体流通管の途中に接続されてもよい。
【０１０９】
Ｃ−７．第７変形例：
上記実施形態では、収容体側電気接続部５８は回路基板５８２を備えていたが、これに限定されるものではなく、装置側電気接続部３８２と接触可能な接触部ｃｐを有していればよい。例えば、回路基板５８２は記憶装置５８３を備えていなくてもよい。例えば、収容体側電気接続部５８は、液体収容体５０の着脱検出に用いられる端子の接触部を備えていてもよい。また、収容体側電気接続部５８は、フレキシブルプリント基板（ＦＰＣ）のようなフレキシブルなケーブルを含む回路基板全般を備えていてもよい。この回路基板は装置側電気接続部３８２と接触可能な接触部を一端側に有する。他端側は例えばリセット装置につながる。上記の変形例は、回路基板５８２に代えて採用しても良いし、回路基板５８２と共に採用してもよい。
【０１１０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１１１】
１０…プリンター
１１…記録機構
１６…給紙トレイ
１７…排出トレイ
２０…液体供給装置
２０Ａ…第１の液体供給装置
２０Ｂ…第２の液体供給装置
２０Ｓ１…液体供給装置
２２…カバー部材
２２Ａ…カバー部材
２２Ｂ…カバー部材
２３…一端部
２４…他端部
２６…収容空間部
２６Ａ…収容空間部
２６Ｂ…収容空間部
２６ＢＶ…バックボード
３０…着脱ユニット
３０Ｃ…着脱ユニット
３０Ｋ…着脱ユニット
３０Ｍ…着脱ユニット
３０Ｙ…着脱ユニット
３５…固定部材
３６…液体導入機構
３８…接点機構
４０…可動部材
４１…基部
４２…供給部支持部
４８…基板支持部
５０…液体収容体
５０Ｃ…液体収容体
５０Ｋ…液体収容体
５０Ｍ…液体収容体
５０Ｙ…液体収容体
５０ａ…電気接続体
５１Ｗ…周縁領域
５１Ｙ…周縁領域
５１ＳＭ…第１移動操作
５２…液体収容部
５２Ｃ…液体収容部
５２Ｋ…液体収容部
５２ＳＭ…第２移動操作
５３…操作部材
５３ｆａ…第１側
５３ｆｂ…第２側
５４…把持部
５５…液体供給ユニット
５６…位置決め部
５７…液体供給部
５８…基板ユニット（収容体側電気接続部）
５９…回路基板保持部
７０…流路部材
９９…フィルム
１０２…装置第１面（装置正面）
１０４…装置第２面（左側壁）
１０６…装置第３面（右側壁）
３０２…ネジ
３６２…液体導入部
３８１…装置側端子
３８２…電気接続部（装置側電気接続部）
３８４…装置側基板位置決め部
３８５…装置側位置決め部
４０２…第１支持面部
４０３…第２支持面部
４０４…第３支持面部
４０６…切欠部
４０７…溝部
４８２…第１基板支持面部
５０１…一端部
５０１側部分…一端部
５０２…底端部
５０３…第１側端部
５０３側部分…第１側端部
５０４…第２側端部
５０４側部分…第２側端部
５２１〜５２３…第１〜第３のフィルム
５２３ｍ…折り目
５４１…把持面
５４２…受入空間部
５４５…押圧部
５４６…第１の接続部
５４７…第２の接続部
５４８…基部
５４９…取付部
５５０…導出部
５５１…弁機構
５５２…弁座
５５４…弁体
５５６…バネ
５５８…内部流路
５７２…液体供給口
５７３…供給接続部
５７７ａ〜５７７ｄ…第１〜第４の突起
５８０…液体収容体側端子群
５８１Ａ…端子（液体収容体側端子）
５８２…回路基板
５８２ｆａ…表面
５８２ｆｂ…裏面
５８３…記憶装置
５８４…ボス溝
５８５…ボス孔
５８６…上側端部
５８７…下側端部
５９２…第１の側壁部
５９２ｔ…溝部
５９３…第２の側壁部
５９３ｔ…溝部
５９４…底部
９０２…タンク
１０００…液体消費システム
ａ１…角度
ａ２…角度
ＣＬ…中心軸
ＣＴ…中心軸
ｃｐ…接触部
Ｌｎ１…列
【図１】
2016055446.tif 000003
【図２】
2016055446.tif 000004
【図３】
2016055446.tif 000005
【図４】
2016055446.tif 000006
【図５】
2016055446.tif 000007
【図６】
2016055446.tif 000008
【図７】
2016055446.tif 000009
【図８】
2016055446.tif 000010
【図９】
2016055446.tif 000011
【図１０】
2016055446.tif 000012
【図１１】
2016055446.tif 000013
【図１２】
2016055446.tif 000014
【図１３】
2016055446.tif 000015
【図１４】
2016055446.tif 000016
【図１５】
2016055446.tif 000017
【図１６】
2016055446.tif 000018
【図１７Ａ】
2016055446.tif 000019
【図１７Ｂ】
2016055446.tif 000020
【図１７Ｃ】
2016055446.tif 000021
【図１８】
2016055446.tif 000022
【図１９】
2016055446.tif 000023
【図２０】
2016055446.tif 000024
【図２１】
2016055446.tif 000025
【図２２】
2016055446.tif 000026
【図２３】
2016055446.tif 000027
【図２４】
2016055446.tif 000028
【図２５】
2016055446.tif 000029
【図２６】
2016055446.tif 000030
【図２７】
2016055446.tif 000031
【図２８】
2016055446.tif 000032